(57)【要約】【課題】タイヤ摩耗量を正確に推定することができる演算モデル生成システム、摩耗量推定システムおよび演算モデル生成方法を提供する。【解決手段】演算モデル生成システム１００は、タイヤ荷重算出部３１、摩耗量算出部３４および演算モデル更新部３５を備える。タイヤ荷重算出部３１は、車両８に装着された複数のタイヤ１０に加わるタイヤ荷重を算出する。摩耗量算出部３４は、荷重に基づいてタイヤ摩耗量を算出する演算モデル３４ａを有し、タイヤ荷重算出部３１により算出したタイヤ荷重を入力して演算モデル３４ａによりタイヤ１０の摩耗量を算出する。演算モデル更新部３５は、タイヤ１０で計測される摩耗量と摩耗量算出部３４により算出された摩耗量とを比較し、演算モデル３４ａを更新する。【選択図】図２
2020164127.tif 000002
【特許請求の範囲】
【請求項１】
車両に装着された複数のタイヤに加わるタイヤ荷重を算出するタイヤ荷重算出部と、
荷重に基づいてタイヤ摩耗量を算出する演算モデルを有し、前記タイヤ荷重算出部により算出した前記タイヤ荷重を入力して前記演算モデルにより前記タイヤの摩耗量を算出する摩耗量算出部と、
前記タイヤで計測される摩耗量と前記摩耗量算出部により算出された摩耗量とを比較し、前記演算モデルを更新する演算モデル更新部と、
を備えることを特徴とする演算モデル生成システム。
【請求項２】
前記車両の複数個所に設けられた荷重センサを備え、
前記タイヤ荷重算出部は、前記荷重センサによって計測された荷重データに基づいて、前記タイヤ荷重を算出することを特徴とする請求項１に記載の演算モデル生成システム。
【請求項３】
前記荷重センサは、前記車両のサスペンションに設けられていることを特徴とする請求項２に記載の演算モデル生成システム。
【請求項４】
前記車両から軸重および加速度を含む車両側データを取得する車両情報取得部を備え、
前記タイヤ荷重算出部は、前記車両情報取得部により取得した前記車両側データに基づいて、前記タイヤ荷重を算出することを特徴とする請求項１に記載の演算モデル生成システム。
【請求項５】
前記車両の位置データを取得する位置情報取得部を備え、
前記タイヤ荷重算出部は、前記車両情報取得部により取得した前記車両側データ、および前記位置情報取得部が取得した位置データによって算出される前記車両の傾きに基づいて、前記タイヤ荷重を算出することを特徴とする請求項４に記載の演算モデル生成システム。
【請求項６】
前記摩耗量算出部に、気象データ又は路面状況の少なくとも一方を入力する請求項１に記載の演算モデル生成システム。
【請求項７】
車両に装着された複数のタイヤに加わるタイヤ荷重を算出するタイヤ荷重算出部と、
荷重に基づいてタイヤ摩耗量を算出する演算モデルを有し、前記タイヤ荷重算出部により算出した前記タイヤ荷重を入力して前記演算モデルにより前記タイヤの摩耗量を算出する摩耗量算出部と、
を備えることを特徴とする摩耗量推定システム。
【請求項８】
車両に装着された複数のタイヤに加わるタイヤ荷重を算出するタイヤ荷重算出ステップと、
荷重に基づいてタイヤ摩耗量を算出する演算モデルに基づき、前記タイヤ荷重算出ステップにより算出した前記タイヤ荷重を入力して前記演算モデルにより前記タイヤの摩耗量を算出する摩耗量算出ステップと、
前記タイヤで計測される摩耗量と前記摩耗量算出ステップにより算出された摩耗量とを比較し、前記演算モデルを更新する演算モデル更新ステップと、
を備えることを特徴とする演算モデル生成方法。
【発明の詳細な説明】
【技術分野】
【０００１】
本発明は、タイヤ摩耗量の演算モデル生成システム、摩耗量推定システムおよび演算モデル生成方法に関する。
【背景技術】
【０００２】
一般に、タイヤは走行状態や走行距離等に応じて摩耗が進行する。また昨今ではタイヤの圧力および温度を計測するセンサをタイヤに取り付け、計測した圧力および温度を表示する装置などが製品化されている。
【０００３】
特許文献１には従来のタイヤ摩耗推定システムが記載されている。このタイヤ摩耗推定システムは、第１の予測変数を生成するためにタイヤに取り付けられた少なくとも１つのセンサと、第２の予測変数に関するデータを記憶するルックアップテーブルおよびデータベースの少なくとも一方と、少なくとも１つの乗物影響を含む予測変数のうちの一方と、予測変数を受け取り、少なくとも１つのタイヤに関する推定摩耗率を生成するモデルと、を有する。
【先行技術文献】
【特許文献】
【０００４】
【特許文献１】特開２０１８−１５８７２２号公報
【発明の概要】
【発明が解決しようとする課題】
【０００５】
特許文献１に記載のタイヤ摩耗推定システムは、例えばホイール位置およびドライブトレーンを乗物影響として用いてタイヤ摩耗を推定する。ホイール位置およびドライブトレーンによるタイヤ摩耗は、車両のタイプによって影響の多寡があり、例えばトラックなどの大型車両では必ずしも影響が大きい要因ではないことから、タイヤ摩耗の推定には改善の余地があることに本発明者は気づいた。すなわち、タイヤの摩耗量を推定する上で、車両における積荷重量の偏りなどの要因によって、個々のタイヤの負荷が大きく変わり摩耗量に影響を及ぼすことを考慮する必要があると考えた。
【０００６】
本発明は、斯かる事情に鑑みてなされたものであり、その目的とするところは、タイヤ摩耗量を正確に推定することができる演算モデル生成システム、摩耗量推定システムおよび演算モデル生成方法を提供することにある。
【課題を解決するための手段】
【０００７】
本発明のある態様は演算モデル生成システムである。車両に装着された複数のタイヤに加わるタイヤ荷重を算出するタイヤ荷重算出部と、荷重に基づいてタイヤ摩耗量を算出する演算モデルを有し、前記タイヤ荷重算出部により算出した前記タイヤ荷重を入力して前記演算モデルにより前記タイヤの摩耗量を算出する摩耗量算出部と、前記タイヤで計測される摩耗量と前記摩耗量算出部により算出された摩耗量とを比較し、前記演算モデルを更新する演算モデル更新部と、を備える。
【０００８】
本発明の別の態様は摩耗量推定システムである。車両に装着された複数のタイヤに加わるタイヤ荷重を算出するタイヤ荷重算出部と、荷重に基づいてタイヤ摩耗量を算出する演算モデルを有し、前記タイヤ荷重算出部により算出した前記タイヤ荷重を入力して前記演算モデルにより前記タイヤの摩耗量を算出する摩耗量算出部と、を備える。
【０００９】
本発明の別の態様は演算モデル生成方法である。演算モデル生成方法は、車両に装着された複数のタイヤに加わるタイヤ荷重を算出するタイヤ荷重算出ステップと、荷重に基づいてタイヤ摩耗量を算出する演算モデルに基づき、前記タイヤ荷重算出ステップにより算出した前記タイヤ荷重を入力して前記演算モデルにより前記タイヤの摩耗量を算出する摩耗量算出ステップと、前記タイヤで計測される摩耗量と前記摩耗量算出ステップにより算出された摩耗量とを比較し、前記演算モデルを更新する演算モデル更新ステップと、を備える。
【発明の効果】
【００１０】
本発明によれば、タイヤ摩耗量を正確に推定することができる。
【図面の簡単な説明】
【００１１】
【図１】タイヤ摩耗量の演算モデル生成システムの概要を説明するための模式図である。
【図２】実施形態１に係る演算モデル生成システムの機能構成を示すブロック図である。
【図３】演算モデルの学習について説明するための模式図である。
【図４】演算モデル生成システムによる演算モデル生成の手順を示すフローチャートである。
【図５】実施形態２に係る摩耗量推定システムの機能構成を示すブロック図である。
【図６】トラック等における積荷の偏りを計測する変形例について説明するための模式図である。
【発明を実施するための形態】
【００１２】
以下、本発明を好適な実施の形態をもとに図１から図６を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
（実施形態１）
図１は、タイヤ摩耗量の演算モデル生成システム１００の概要を説明するための模式図である。車両８には複数のタイヤ１０が装着されており、演算モデル生成システム１００は、車両８において計測される各種情報に基づいて、各タイヤ１０におけるタイヤ摩耗量を算出する演算モデル３４ａを生成する。演算モデル生成システム１００では、車両８に配設した複数の荷重センサによって計測される荷重データに基づいて各タイヤ１０に加わるタイヤ荷重を求める。
【００１４】
また演算モデル生成システム１００は、車両８から提供される軸重および加速度等の車両側データや、タイヤに取り付けた加速度センサおよび圧力センサのタイヤ側データに基づいて各タイヤ１０に加わるタイヤ荷重を求めてもよい。さらに、演算モデル生成システム１００は、車両８の位置データによって得られる車両８の傾きを加味して各タイヤ１０に加わるタイヤ荷重を求めるようにしてもよい。
【００１５】
演算モデル生成システム１００は、タイヤ荷重に基づいて演算モデル３４ａによってタイヤ摩耗量を算出する。演算モデル生成システム１００は、演算モデルとして例えばニューラルネットワーク等の学習型モデルを用い、タイヤ１０において実際に計測したタイヤ摩耗量を教師データとし、演算の実行と演算モデルの更新による学習を繰り返すことによって演算モデル３４ａの精度を高める。摩耗量推定装置３０は、演算モデルに学習させた後、タイヤ摩耗量を推定する装置として機能する。タイヤ摩耗量は、例えば、幅方向に４つの溝がある場合には、その溝数の溝深さ、さらにそれぞれの溝の周方向に１２０°間隔で３か所測定する。これにより、幅方向の偏摩耗だけでなく、周方向における偏摩耗のデータが教師データとして入力され、偏摩耗を推定する演算モデルを生成することができる。
【００１６】
演算モデル生成システム１００は、ある仕様のタイヤ１０について、タイヤ１０（ホイールを含む）を装着した車両の走行によって演算モデルの学習を実行することができる。タイヤの仕様には、例えばメーカー、商品名、タイヤサイズ、タイヤ幅、扁平率、タイヤ強度、静的剛性、動的剛性、タイヤ外径、ロードインデックス、製造年月日など、タイヤの性能に関する情報が含まれる。
【００１７】
演算モデル生成システム１００は、タイヤ１０の空気圧、温度、およびタイヤ１０で発生している加速度の計測データを入力とする演算モデル３４ａを構築するものであってもよい。タイヤ１０で発生している加速度は、例えば、タイヤ１０の径方向、軸方向および前後方向の３軸加速度であり、この３軸加速度を演算モデル３４ａに入力する。また、例えばタイヤ１０の径方向および軸方向等の２軸加速度を演算モデル３４ａに入力するようにしてもよい。
【００１８】
図２は、実施形態１に係る演算モデル生成システム１００の機能構成を示すブロック図である。演算モデル生成システム１００は、荷重センサ２１、摩耗量推定装置３０およびタイヤ計測装置４０を備える。荷重センサ２１は、例えばロードセル等であり、車両の複数個所に配置されている。荷重センサ２１は、車両８がトラックである場合には車体と荷台との間などに設けるとよい。また荷重センサ２１は、タイヤ１０に加わるタイヤ荷重を求めるため、例えば車軸と車体との間に設けられるサスペンションに配置する。トラックに限らず多くの車両には、路面からの振動を低減すべくサスペンションが採用されており汎用性が高い。荷重センサ２１は、サスペンションでの動的特性に基づいて荷重を演算する装置であってもよい。
【００１９】
タイヤ計測装置４０は、タイヤ１０のトレッドに設けられた溝の深さを計測する。作業者が計測器具やカメラ、目視等によって溝の深さを計測し、タイヤ計測装置４０は、作業者が入力する計測データを記憶するものであってもよい。また、タイヤ計測装置４０は、機械的あるいは光学的な方法によって溝の深さを計測して記憶する専用の装置であってもよい。
【００２０】
タイヤ１０には、圧力ゲージ、温度センサおよび加速度センサ等のタイヤ取付センサ２０が配設されている。圧力ゲージおよび温度センサは、例えばタイヤ１０のエアバルブに配設されており、それぞれタイヤ１０の空気圧および温度を計測する。温度センサは、タイヤ１０の温度を正確に計測するために、タイヤ１０のインナーライナー等に配設されていてもよい。加速度センサは、例えばタイヤ１０およびホイール等に配設されており、タイヤ１０で発生している加速度を計測する。尚、タイヤ１０は、各タイヤを識別するために、例えば固有の識別情報が付与されたＲＦＩＤ等が取り付けられていてもよい。
【００２１】
摩耗量推定装置３０は、タイヤ荷重算出部３１、車両情報取得部３２、位置情報取得部３３、摩耗量算出部３４および演算モデル更新部３５を有する。摩耗量推定装置３０は、例えばＰＣ（パーソナルコンピュータ）等の情報処理装置である。摩耗量推定装置３０における各部は、ハードウェア的には、コンピュータのＣＰＵをはじめとする電子素子や機械部品などで実現でき、ソフトウェア的にはコンピュータプログラムなどによって実現されるが、ここでは、それらの連携によって実現される機能ブロックを描いている。したがって、これらの機能ブロックはハードウェア、ソフトウェアの組合せによっていろいろな形態で実現できることは、当業者には理解されるところである。
【００２２】
タイヤ荷重算出部３１は、荷重センサ２１による計測データに基づいてタイヤ荷重を算出する。タイヤ荷重算出部３１は、例えば、荷重センサ２１における計測データに基づいて荷重分布の中心位置を求め、車両８に装着された各タイヤ１０の位置において生じるタイヤ荷重を求める。
【００２３】
また、タイヤ荷重算出部３１は、荷重センサ２１での計測データに拠らず、車両８から取得される軸重および３軸加速度等を含む車両側データに基づいてタイヤ荷重を算出するようにしてもよい。車両情報取得部３２は、車両８に搭載されたデジタルタコグラフ２３から車両８における軸重および３軸加速度等を含む車両側データを取得し、タイヤ荷重算出部３１へ出力する。タイヤ荷重算出部３１は、軸重および３軸加速度によって車両８の重心の動きを計算し、各タイヤ１０で発生するタイヤ荷重を算出する。
【００２４】
また、タイヤ荷重算出部３１は、車両８の位置データによって算出される車両８の傾きを計算し、軸重および３軸加速度等の車両側データに加味して、各タイヤ１０で発生するタイヤ荷重を算出するようにしてもよい。位置情報取得部３３は、車両８に搭載されたＧＰＳ受信機２４から位置データを取得し、タイヤ荷重算出部３１へ出力する。タイヤ荷重算出部３１は、例えば、位置データに含まれる高度の情報の時間変化によって車両８の傾きを求めることができる。
【００２５】
摩耗量算出部３４は、演算モデル３４ａを有し、タイヤ荷重算出部３１によって算出されたタイヤ荷重等の入力データを演算モデル３４ａに入力してタイヤ摩耗量を算出する。図３は演算モデル３４ａの学習について説明するための模式図である。演算モデル３４ａへの入力データには、タイヤ荷重算出部３１で算出されたタイヤ荷重データや、タイヤ１０の空気圧、温度、および加速度を含むタイヤデータなどを用いる。入力データは、これらの他、気象データや、路面状況の情報を用いてもよい。気象データは、例えば走行地域の気温、降水量などを演算モデル３４ａへの入力データとして用いる。また路面状況の情報は、例えば車両が走行している路面の凹凸、温度および乾湿等の状況を演算モデル３４ａへの入力データとして用いる。
【００２６】
演算モデル３４ａは、例えばニューラルネットワーク等の学習型モデルを用いる。演算モデル３４ａは、タイヤ荷重、およびタイヤデータ（タイヤの空気圧、温度および加速度など）等を入力層のノードへ入力し、中間層への重みづけを設けた入力層からのパスによって演算を実行する。演算モデル３３ｂは、中間層から出力層への重みづけを設けたパスによって更に演算を行い、出力層のノードからタイヤ摩耗量を出力する。ニューラルネットワーク等の学習モデルでは、線形演算に加えて、活性化関数などを用いて非線形演算を実行するようにしてもよい。
【００２７】
演算モデル更新部３５は、演算結果としてのタイヤ摩耗量と教師データとを比較して演算モデル３４ａを更新する。演算モデル更新部３５は、摩耗量比較部３５ａおよび更新処理部３５ｂを有する。摩耗量比較部３５ａは、演算モデル３４ａによって算出されたタイヤ摩耗量を、タイヤ計測装置４０によって計測された教師データとしてのタイヤ摩耗量と比較し、誤差を更新処理部３５ｂへ出力する。
【００２８】
更新処理部３５ｂは、演算モデル３４ａによって算出された摩耗量の誤差に基づいて、演算モデル上のパスの重みづけを更新する。演算モデル３４ａによるタイヤ摩耗量の演算、摩耗量比較部３５ａによる教師データとの比較、および更新処理部３５ｂでの演算モデルの更新を繰り返すことによって、演算モデルの精度が高められる。また、更新処理部３５ｂは、タイヤ摩耗量の推定値と、教師データである計測されたタイヤ摩耗量とが所定の誤差の範囲内となったときに演算モデル３４ａの学習が完了したと判断し、演算モデル３４ａの更新を終了してもよい。例えば、タイヤ摩耗量としてのタイヤ１０の溝深さの誤差が０．１ｍｍ以内となった場合や、タイヤ摩耗量の推定値が計測されたタイヤ摩耗量の上下１０％以内となった場合などに学習が完了したと判断すればよいが、判断基準として誤差の範囲はこれらの数値に限られるものではない。
【００２９】
次に演算モデル生成システム１００の動作を説明する。図４は、演算モデル生成システム１００による演算モデル生成の手順を示すフローチャートである。摩耗量推定装置３０は、タイヤ荷重算出部３１において、荷重センサ２１からの荷重データ等の取得を開始する（Ｓ１）。尚、ステップＳ１において、タイヤ荷重算出部３１は、荷重センサ２１からの荷重データの代わりに、車両情報取得部３２から軸重および３軸加速度等の車両側データを取得してもよく、さらに位置情報取得部３３から位置データを取得するようにしてもよい。
【００３０】
タイヤ荷重算出部３１は、取得したデータに基づいて各タイヤ１０に加わるタイヤ荷重を算出する（Ｓ２）。タイヤ荷重算出部３１は、所定期間に亘ってタイヤ荷重を算出し、蓄積する（Ｓ３）。所定期間は例えば車両の１回の走行期間としてもよいし、数日または一週間などとするが、これらに限られるものではない。所定期間経過後、摩耗量算出部３４は、蓄積されたタイヤ荷重を演算モデル３４ａへ入力し、タイヤ摩耗量を推定する（Ｓ４）。摩耗量比較部３５ａは、演算モデル３４ａによって算出されたタイヤ摩耗量と、タイヤ計測装置４０によって計測された教師データとしてのタイヤ摩耗量とを比較する（Ｓ５）。摩耗量比較部３５ａは、比較の結果として演算モデル３４ａによって算出されたタイヤ摩耗量とタイヤ計測装置４０によって計測されたタイヤ摩耗量との誤差を更新処理部３５ｂへ出力する。
【００３１】
更新処理部３５ｂは、摩耗量比較部３５ａから入力されたタイヤ摩耗量の誤差に基づいて演算モデルを更新し（Ｓ６）、処理を終了する。摩耗量推定装置３０は、これらの処理を繰り返すことによって、演算モデルを更新し、タイヤ摩耗量の推定の精度が高められる。
【００３２】
演算モデル生成システム１００は、車両８に装着された複数のタイヤ１０に対して、各タイヤ１０に加わるタイヤ荷重を入力データとする演算モデル３４ａを生成することができる。演算モデル生成システム１００は、積荷の位置や重量の偏りおよび積荷の物理状態（固体、液体、粉体）、車両の走行状態、即ち３軸方向の加速度および傾きによって変化する各タイヤ１０でのタイヤ荷重を考慮して、正確にタイヤ摩耗量を推定する演算モデルを生成することができる。
【００３３】
また演算モデル生成システム１００は、車両８の複数個所に荷重センサ２１を配置することで、複数の荷重センサ２１によって計測された荷重データに基づいて、精度良くタイヤ荷重を算出することができる。また演算モデル生成システム１００は、サスペンションに荷重センサ２１を配置することで、サスペンションを備える多くの車両について適用することができ、汎用性が高くなる。
【００３４】
演算モデル生成システム１００は、荷重センサ２２からの荷重データの代わりに、車両情報取得部３２から軸重および３軸加速度等の車両側データを取得することで、車両８の走行状態に応じた各タイヤ１０でのタイヤ荷重を算出することができる。また、演算モデル生成システム１００は、さらに位置情報取得部３３から位置データを取得して、位置データによって算出される車両８の傾きを加味して、より精度よくタイヤ荷重を算出することができる。
【００３５】
また、演算モデル生成システム１００は、タイヤ荷重算出部３１により算出するタイヤ荷重に加えて、図２に示したタイヤデータ（タイヤ１０の空気圧、温度および加速度等）、気象データおよび路面状況等を演算モデル３４ａの入力データとすることで、より正確にタイヤ摩耗量を推定する演算モデルを生成することができる。尚、演算モデル生成システム１００は、タイヤ荷重と同様に、車両の走行位置の気象データおよび路面状況等の演算モデル３４ａへの入力データを所定期間蓄積するようにしてもよい。
【００３６】
（実施形態２）
図５は、実施形態２に係る摩耗量推定システム１１０の機能構成を示すブロック図である。上述のように実施形態１に係る演算モデル生成システム１００によってタイヤ摩耗量を推定する演算モデル３４ａが生成された後、演算モデル３４ａを備える摩耗量推定装置３０を構成することができる。摩耗量推定システム１１０は、荷重センサ２１等および摩耗量推定装置３０を備え、演算モデル生成システム１００によって生成された演算モデル３４ａを用いて、車両に装着されたタイヤ１０の摩耗量を正確に推定する。
【００３７】
摩耗量推定装置３０は、タイヤ荷重算出部３１、車両情報取得部３２、位置情報取得部３３、摩耗量算出部３４および報知部３６を備える。摩耗量推定装置３０は、車両８に搭載して用いてもよいし、車両８には搭載せずに通信接続によって車両８から各種データを取得してタイヤ摩耗量を推定するようにしてもよい。タイヤ荷重算出部３１車両情報取得部３２および位置情報取得部３３実施形態１における構成および作用と同等であり、簡潔化のため説明を省略する。
【００３８】
摩耗量算出部３４は、演算モデル３４ａとして実施形態１に係る演算モデル生成システム１００によって生成された演算モデルを使用する。摩耗量算出部３４は、タイヤ荷重算出部３１によりタイヤ荷重を算出して所定期間蓄積した後、タイヤ摩耗量を算出してもよいし、取得したタイミングで時々刻々タイヤ摩耗量を算出するようにしてもよい。
【００３９】
報知部３６は、車両の運転者等の搭乗者や、運送業者などにおいて車両を管理している運行管理者等に対して、現在のタイヤ摩耗量を知得させるべく、表示装置５１による表示やスピーカ５２による音声出力等によって、タイヤ摩耗量を報知する。また、報知部３６は車両に搭載された車両制御装置５３に対して現在のタイヤ摩耗量を報知するようにしてもよい。車両制御装置５３では、現在のタイヤ摩耗量に基づいて自動運転や衝突回避などの車両制御を行うことができる。
【００４０】
（変形例）
図６はトラック等における積荷の偏りを計測する変形例について説明するための模式図である。この変形例では、車両８の荷台にカメラやレーダー等の荷物を監視する監視装置２５を設ける。監視装置２５によって荷物の配置をモニターし、摩耗量推定装置３０において、積載している荷物の分布を求め、タイヤ位置との関係から各タイヤ１０に対してタイヤ荷重の重みづけを行う。摩耗量推定装置３０は、各タイヤ１０における重みづけに応じて、タイヤ荷重を求めることができる。
【００４１】
次に各実施形態および変形例に係る演算モデル生成システム１００、摩耗量推定システム１１０および演算モデル生成方法の特徴について説明する。
演算モデル生成システム１００は、タイヤ荷重算出部３１、摩耗量算出部３４および演算モデル更新部３５を備える。タイヤ荷重算出部３１は、車両８に装着された複数のタイヤ１０に加わるタイヤ荷重を算出する。摩耗量算出部３４は、荷重に基づいてタイヤ摩耗量を算出する演算モデル３４ａを有し、タイヤ荷重算出部３１により算出したタイヤ荷重を入力して演算モデル３４ａによりタイヤ１０の摩耗量を算出する。演算モデル更新部３５は、タイヤ１０で計測される摩耗量と摩耗量算出部３４により算出された摩耗量とを比較し、演算モデル３４ａを更新する。これにより、演算モデル生成システム１００は、タイヤ摩耗量を正確に推定する演算モデルを生成することができる。
【００４２】
また演算モデル生成システム１００は、車両８の複数個所に設けられた荷重センサ２１を備える。タイヤ荷重算出部３１は、荷重センサ２１によって計測された荷重データに基づいて、タイヤ荷重を算出する。これにより、演算モデル生成システム１００は、複数の荷重センサ２１によって計測された荷重データに基づいて、精度良くタイヤ荷重を算出することができる。
【００４３】
また荷重センサ２１は、車両８のサスペンションに設けられている。これにより、演算モデル生成システム１００は、サスペンションを備える多くの車両について適用することができ、汎用性が高くなる。
【００４４】
また演算モデル生成システム１００は、車両８から軸重および加速度を含む車両側データを取得する車両情報取得部３２を備える。タイヤ荷重算出部３１は、車両情報取得部３２により取得した車両側データに基づいて、タイヤ荷重を算出する。これにより、演算モデル生成システム１００は、車両８の走行状態に応じた各タイヤ１０でのタイヤ荷重を算出することができる。
【００４５】
また演算モデル生成システム１００は、車両の位置データを取得する位置情報取得部３３を備える。タイヤ荷重算出部３１は、車両情報取得部３２により取得した車両側データ、および位置情報取得部３３が取得した位置データによって算出される車両８の傾きに基づいて、タイヤ荷重を算出する。これにより、演算モデル生成システム１００は、位置データによって算出される車両８の傾きを加味して、より精度よくタイヤ荷重を算出することができる。
【００４６】
また摩耗量算出部３４に、気象データ又は路面状況の少なくとも一方を入力する。これにより、演算モデル生成システム１００は、気象データ又は路面状況を加味してより精度よくタイヤ摩耗量を推定する演算モデルを生成することができる。
【００４７】
摩耗量推定システム１１０は、タイヤ荷重算出部３１および摩耗量算出部３４を備える。タイヤ荷重算出部３１は、車両８に装着された複数のタイヤ１０に加わるタイヤ荷重を算出する。摩耗量算出部３４は、荷重に基づいてタイヤ摩耗量を算出する演算モデル３４ａを有し、タイヤ荷重算出部３１により算出したタイヤ荷重を入力して演算モデル３４ａによりタイヤ１０の摩耗量を算出する。これにより、摩耗量推定システム１１０は、演算モデル生成システム１００によって生成された演算モデル３４ａを用いて、車両に装着されたタイヤ１０の摩耗量を正確に推定する。
【００４８】
演算モデル生成方法は、タイヤ荷重算出ステップ、摩耗量算出ステップおよび演算モデル更新ステップを備える。タイヤ荷重算出ステップは、車両８に装着された複数のタイヤ１０に加わるタイヤ荷重を算出する。摩耗量算出ステップは、荷重に基づいてタイヤ摩耗量を算出する演算モデル３４ａに基づき、タイヤ荷重算出ステップにより算出したタイヤ荷重を入力して演算モデル３４ａによりタイヤ１０の摩耗量を算出する。演算モデル更新ステップは、タイヤ１０で計測される摩耗量と摩耗量算出ステップにより算出された摩耗量とを比較し、演算モデル３４ａを更新する。この演算モデル生成方法によれば、タイヤ摩耗量を正確に推定する演算モデルを生成することができる。
【００４９】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５０】
１０  タイヤ、  ３１  タイヤ荷重算出部、  ３２  車両情報取得部、
３３  位置情報取得部、  ３４  摩耗量算出部、  ３４ａ  演算モデル、
３５  演算モデル更新部、  ８  車両、
１００  演算モデル生成システム、  １１０  摩耗量推定システム。
【図１】
2020164127.tif 000003
【図２】
2020164127.tif 000004
【図３】
2020164127.tif 000005
【図４】
2020164127.tif 000006
【図５】
2020164127.tif 000007
【図６】
2020164127.tif 000008